(57)【要約】【課題】風圧面積を広くした風上側の風集６、９又は風負風集４６、２９に強風時大きな風圧力がかかるので風集風車１Ａ、２Ａ、３Ａ  １Ｂ、２Ｂ、３Ｂ、１Ｃ、２Ｃ、３Ｃ又は風負風車１ＡＡ、２ＡＡ、３ＡＡ、１ＢＢ、２ＢＢ、３ＢＢ、１ＣＣ  ２ＣＣ、３ＣＣ及び支柱４がこわれるので強風時でもこわれないようにする。【解決手段】風集風車又は風負風車が強風時風に負けて何個所かの曲げ部を設けて強風に当ったら風下側に風集風車又は風負風車が曲がって風を逃がして通常になったら反発手段により風集風車又は風負風車を元の位置に戻す。【選択図】図７
2010019244.tif 000002
【特許請求の範囲】
【請求項１】
第１風集風車（１Ａ）．（１Ｂ）．（１Ｃ）及び第２風集風車（２Ａ）．（２Ｂ）．（２Ｃ）及び第３風集風風車（３Ａ）．（３Ｂ）．（３Ｃ）は風上側を広くし風下側を狭くした風集（６）．（９）の風下側の１方につなぎ板（１４）を設けてつなぎ板の風下側に風車支持（５）から遠くなる程風集（６）．（９）及び風下側の風力板（１１）を規模及び形状により風集風車を速くさせるようにし各各の風集と風力板を各各風筋違い（８）．（７）．（１３），（１２）．（１０）でつないだものを風集風車といい第１風集風車（５７）の内端の風集（６）．（９）及び風力板（１１）の内端を発電機に連結した羽根支持（５）に固着し外端を第１蝶番板内（６０）に固着し第１蝶番板内と第１蝶番板外（６２）は結合軸（７１）を介して回転角自由にして結合され、第１蝶番板外（６２）と第２風集風車の風集（６）．（９）及び風力板（１１）を固着し、バネ（６８）．（６６）又は回転シリンダー（７７）又はシリンダー（６３Ａ）とピストン（６３Ｄ）により風力風車が強風に負けて風下側に曲がって風を逃がしそして風集風車を元に戻す事を特徴とした風逃風力増強風車。
【請求項２】
風上側の風骨（２０）．（２６）を広くし風下側の風骨（３８）．（３０）を狭くし風骨（２０）及び風骨（２６）に固着した風集支持（２４）．（４３）に各各回転角自由に風負風集（２９）．（４６）を支持し、風負風集（２９）．（４６）の風下側を風上側の風骨より狭くした風下側の風下風骨（３０）．（３８）のバネの反発力の力により押し当てそして風下風骨（３８）につながる風力風骨上（３７）に回転角自由に風力板（３４）を支持しバネの反発力により風力板の風下側を風力風骨下（３２）に押し当てて各各の風骨を風筋（２１）．（２２）．（２３）．（２８）．（４２）．（３１）．（４０）．（３３）でつないだものを風負風車といい第１風負風車（１ＡＡ）．（１ＢＢ）．（１ＣＣ）の内端の風骨（２６）．（２０）．（３０）．（３８）及び風力風骨下（３２）及び風力風骨上（３７）の内端を羽根支持（５）に固着し第１風負風車の風骨及び風力風骨下及び風力風骨上の外端を第１蝶番板内（６０）．（１２９）（１８５）．（２０３）．（３０４）．（４０３）に固着し第１蝶番板内と第１蝶番板外（６２）．（１３１）．（１８３）．（２０５）．（３０５）．（４１５）を結合軸（７１）．（１３０）．（１８４）．（２０４）．（３０６）．（４１２）を介して回転角自由にして結合し第１蝶番板外に第２風負風車（６５）．（１１８）．（１７２）．（２１７）．（３０８）（４４０）の風骨及び風力風骨上及び風力風骨下の内端を固着し結合軸の所で強風時風圧力に負けて風集風車又は風負風車が風下側に曲がって又元に戻る反発手段を設け  普段は第１蝶番板内と第１蝶番板外の風上側は接っしているが強風時風負風集（４６）．（２９）及び風負風力板（３４）が風下側に曲がると共に風負風車が風下側に曲がって風を逃す事により風負風車をこわされない事を特徴とした風逃風力増強風車。
【請求項３】
１本の風集風車又は風負風車に結合軸（７０）．（７１）．（１３０）．（１３５）．（２０４）．（２０６）．（１８４）．（１８７）．（３１２）．（３０６）．（４１２）．（４２６）の曲げ所を複数個所設け強風時第何風集風車から第後何風集風車又は第何風負風車から第後何風負風車が風下側に曲がって風を逃すが又元にす事を特徴とした請求項１、２記載の風逃風力増強風車。
【請求項４】
風集風車又は風負風車の風骨及び風力風骨上（３７）及び風力風骨下（３２）の外端に固着される第１結合板内（５０１）に第１行き違い結合うで内（５０２）を何枚か固着し第１行き違い結合うで内（５０２）の先端を第１結合板外（５２６）の近くまで伸ばし風集風車又は風負風車の風骨及び風力風骨上（３７）及び風力風骨下（３２）を第１結合板外（５２６）に固着し第１結合板外（５２６）に第１行き違い結合うで外（５０５）を何枚か固着して第１行き違い結合うで外の先端を第１結合板内の近くまで伸ばし第１行き違い結合うで内と第１行き違い結合うで外と重ねて中程に貫通穴を設けて結合軸（５０６）を通して同巾の第１行き違い結合うで内と第１行き違い結合うで外と重ね合せて外側から結合うで押し当て板（５３２）．（５０３）．（５１０）．（５２７）を両外側から当ててその両外側からバネ（５３１）．（５０４）．（５３０）．（５０７）で押す事により強風時風集風車又は風負風車が風下側に曲がると第１行き違い結合うで内の根元の１方の木口面と第１行き違い結合うで外の先端部の他方の面の木口面が結合軸を対称的にしだいに離れる事により１方の木口面と他方の木口面の両面から結合うで押し当て板（５１０）．（５２７）．（５０３）．（５３２）を当ててその外側からバネ（５３１）．（５０４）（５３０）．（５０７）で押すのでバネに反発力が大きくなる。そして風が通常になると風集風車又は風負風車がバネの反発力により元の位置に戻る事を特徴とした請求項１、２、３記載の風逃風力増強風車。
【請求項５】
何本かの十字行き違い結合うで内と同巾の何本かの十字行き違い結合うで外を相手側の結合板近くまで延ばして重ね合せて中程に貫通穴を通して穴に結合軸（６５９）を通して結合軸（６５９）部を中芯に放射状に何本かの十字行き違い結合うで袖内（６５２）．（６０９）と同巾の結合板外に固着された結合軸（６５９）部を中芯に放射状に何本かの十字行き違い結合うで袖外と重ね合せて各各の外側から結合うで押し当て板（６５７）．（６０３）．（６０８）．（６１２）．（６１６）．（６４３）．（６５１）．（６５３）を当てて各各の外側から押す手段にする事により強風時風集風車又は風負風車が風圧により風下側に曲がると第１十字行き違い結合うで内の根元の１方の木口面と第１十字行き違い結合うで外の先端部の他方の木口面が結合軸を中芯に対称的にしだいに離れる事により押す手段の反発力が大きくなり風が通常になると押す手段の反発力により第１十字行き違い結合うで内及び袖内の木口面と第１十字行き違い結合うで外及び袖外の木口面が同一平面になるので風集風車又は風負風車が元に戻る事を特徴とした請求項１、２、３、４記載の風逃風力増強風車。
【請求項６】
第１風集風車又は第１風負風車と第２風集風車又は第２風負風車の間の各各の結合板（５０１）．（５２６）を介して反発手段とそれらに係わる仕組を設けた事を特徴とした請求項１、２、３、４、５記載の風逃風力増強風車。
【請求項７】
発電機に直結する羽根支持（８００）に第１風集風車の内端又は第１風負風車の風骨及び風力風骨上及び風力風骨下の内端を固着させ第１風集風車の外端又は第１風負風車の風骨及び風力風骨上及び風力風骨下の外端を第１結合板内（７０２）と固着し第１結合板内に第１結合うで内（７６８）を固着して第１結合うで内の途中に結合軸（７６７）を介して第１結合うで外（７４９）を回転自由に結合し第１結合うで外に第１結合板外（７４３）を固着し第１結合板外に第２風集風車の内端又は第２風負風車の風骨及び風力風骨上及び風力風骨下の内端を固着し第１結合板内（７０２）と第１結合板外（７４７）の間に反発手段を設けて強風時風集風車又は風負風車が風下側に曲がって風を逃がすが通常になったら元に戻す事を特徴とした請求項１、２、３、記載の風逃風力増強風車。
【請求項８】
発電機（７００）に直結する羽根支持（８００）に第１風集風車（８３８）の内端又は第１風負風車（８３８）の風骨及び風力風骨上及び風力風骨下の内端を固着し第１風集風車の外端又は第１風負風車の風骨及び風力風骨上及び風力風骨下の外端を第１結合板内（８３７）に固着し第１結合板内に第１結合うで内（８３６）を固着し第１結合うで内の先端部と第１結合うで外（８３２）の後端と結合軸（８３５）を介して回転角自由に結合し第１結合うで外と第１結合板外（８３１）を固着し第１結合板外と第２風集風車の内端又は第２風負風車の風骨及び風力風骨上及び風力風骨下の内端と固着し、第１結合板内と第１結合板外の間に反発手段を設けて強風時風集風車又は風負風車が風圧に負けて風下側に曲がって風を逃がすが通常時は元に戻す事を特徴とした請求項１、２、３７記載の風逃風力増強風車。
【請求項９】
発電機（９０２）に直結する羽根支持（９３８）に第１風集風車の内端又は第１風負風車の風骨及び風力風骨上及び風力風骨下の内端を固着し第１風集風車の外端又は第１風負風車の風骨及び風力風骨上及び風力風骨下の外端を第１結合板内（９３６）に固着し第１結合板内に第１結合うで内（９３４）を固着して第１結合うで内の先端に結合軸（９３３）を介して第１結合うで外（９３２）の内端と回転角自由に結合し第１結合うで外と第１結合板外と固着し第１結合板外に第２風集風車（９２９）の内端又は第２風負風車（９２９）の風骨及び風力風骨上及び風力風骨下の内端を固着し第１結合板内（９３６）と第１結合板外（９３０）の間に引張手段を設けて強風時風集風車又は風負風車は風圧に負けて風下側に曲がって風を逃すが通常になると引張手段の引張力により風集風車又は風負風車が元の位置に戻る事を特徴とした請求項１、２、３、７、８記載の風逃風力増強風車。
【請求項１０】
第１風負風車の外端又は第１風負風車の風骨及び風力風骨上及び風力風骨下の外端と第２風負風車又は第２風負風車の風骨及び風力風骨上及び風力風骨下の間に第１蝶番板内と第１蝶番板外が回転角自由に結合させた結合軸（７１）．（７０）．（７７Ｃ）．（１３０）．（１３５）．（１８７）．（１８４）．（２０４）．（２０６）（３１２）．（３０６）．（４１２）．（４２６）又第１風集風車の外端又は第１風負風車の風骨及び風力風骨上及び風力風骨下の外端と第２風集風車の内端又は第２風負風車の風骨及び風力風骨上及び風力風骨下の内端の間に第１結合板内を固着した第１行き違い結合うで内と第１結合板外を固着した第１行き違い結合うで外の中程を重ね合せて穴を通して結合軸（５１７）．（５０６）穴に結合軸を通して回転角自由に結合し又は第１風集風車の外端又は第１風負風車の風骨及び風力風骨上及び風力風骨下の外端と第２風集風車の内端又は第２風負風車の風骨及び風力風骨上及び風力風骨下の内端の間に第１結合板内を固着した第１十字行き違い結合うで内と第１結合板外を固着した第１十字行き違い結合うで外と重ね合せて中程を貫通穴を設けて貫通穴に結合軸（６５９）．（６２４）で回転角自由に結合し又は第１風集風車の外端又は第１風負風車の風骨及び風力風骨上及び風力風骨下の外端と第２風集風車の内端又は第２風負風車の風骨及び風力風骨上及び風力風骨下の内端の間に第１結合板内を固着した第１結合うで内と第１結合板外を固着した第１結合うで外と回転角自由に結合軸（７１８）．（７６７）．（８３５）．（８２７）．（９２６）．（９３３）で結合し、隣り合った各各の風集風車又は隣り合った各各の風負風車又は隣り合った風集風車と風負風車の少なくともどちらか１方の風集風車又は風負風車の間の結合軸の所が強風により曲がって元に戻る反発力を調節する手段を設ける事を特徴とした請求項１、２、３、４、５、６、７、８、９、記載の風逃風力増強風車。
【請求項１１】
第１結合板内（６０２）．（５０１）．（７０２）．（８３７）．（９３６）．（６４１）．（５１２）に固着した第１結合うで内（５０２）．（６１４）．（５１３）．（６３２）．（７６８）．（８３６）．（９３４）と結合軸（５０６）．（５１７）．（６５９）．（６２４）．（７６７）．（７１８）．（８３５）．（８２７）．（９３３）．（９２６）を介して第１結合うで外（５０５）．（５１４）．（６０１）．（６２９）．（７４９）．（７３３）．（８３２）．（８２６）．（９３２）．（９２５）が回転角自由に結合しそして第１結合うで外と第１結合板外を固着し第１結合板内と第１結合板外の間に風集風車又は風負風車を元の位置に戻す手段も含めた仕組を個個の風集風車又は風負風車に複数個所設ける事を特徴とした請求項４、５、６、７、８、９、１０記載の風逃風力増強風車。
【請求項１２】
個個の風集風車又は個個の風負風車に強風が当って各各の結合軸の所が曲がって元に戻す手段も含めた仕組を任意に組み合わせ事を特徴とした請求項１、２、３、４、５、６、７、８、９、１０、１１、記載の風逃風力増強風車。
【請求項１３】
強風により各各の結合軸の所が曲がって元に戻す手段を複数個任意に組み合せた事を特徴とした請求項１、２、３、４、５６、７、８、９、１０、１１、１２、記載の風逃風力増強風車。
【請求項１４】
風集風車と風負風車を任意に組み合せた事を特徴とした請求項１、２、３、４、５、６、７、８、９、１０、１１、１２、１３記載の風逃風力増強風車。
【発明の詳細な説明】
【技術分野】
【０００１】風力を増強させるには風上側を広くした風集にその風下側に風力板を設けて風力板に風力を増強して吹き付けるが強風時風集風車又は風負風車がこわれたり又支柱がたおれたりするのを防ぐ事に関するものである。
【背景技術】
【０００２】特願２００７−７５５５８等がある。
【発明の開示】
【発明が解決しようとする課題】
【０００３】風力を増強させると風集の風上側を広くするので風圧面積が広くなるのでそれに強風が当ると風集がこわれたり支柱が倒れたりするのでそれを防ぐ。
【課題を解決するための手段】
【０００４】発電機に直結する羽根支持５に固着する以下の構造を風負風車とし風集風車は風上側の風集６、９の間を広く風下側の風集６、９の間を狭くし１方の風集につなぎ１４を設けて風力板１１を固着し各各の端を風筋８、７、１３、１２、１０をトラス状にしてつなぐ【０００５】以下の構造を風負風車とする。風上側の双方の風骨２０、２６、を広くし風下側の双方の風骨３８、３０を狭くし風上側の双方の風骨２０に風集支持４３を回転角自由に巻き添って風負風車４６を固着し又は風上側の風骨２６に風集支持２４を固着して風集支持２４に風負風集を回転角自由に支持し、双方の風負風集の風下側の下部に風力風骨上３７を設けさらにその斜め下部に風力風骨下３２を設けて風上の風力風骨上３７に回転自由に風力支持３５を巻き風力支持３５に風負け風力板３４を結合し各各の風負風集及び風負け風力板をバネにより風下側の風骨３８、３０及び風力風骨下３２に押し当て各各の風骨及び風力風骨上及風力風骨下を風筋２１、２２、２３、４２、２８、３９、４０、３１、３３、をトラス状に結合し強風時風負風集及び風負風力板を押しているバネの反発力が強風圧に負けて風負風集、風負風力板が風下側に負けて風を逃がす。【０００６】第１風集風車５７、１２８、１８６、２０１、３０２、４００又はは第１風負風車の風骨２０、２６、３８、３０、及び風力風骨上３７及び風力風骨下３２の各各の内端を発電機に直結する羽根支持５に固着し、第１風集風車の外端又は第１風負風車５７、１２８、１８６、２０１、３０２、４００の風骨及び風力風骨上及び風力風骨下の外端を第１蝶番板内６０、１２９、１８５、２０３、３０４、４０３に固着し第１蝶番板内に結合軸７１、１３０、１８４、２０４、３０６、４１２を介して第１蝶番板外６２、１３１、１８３、２０５、３０５、４１５、を回転角自由に結合し第１蝶番板外に第２風集風車６５、１１８、１７２、２１７、３０８、４４０の内端又は第２風負風車６５、１１８、１７２、２１７、３０８、４４０の風骨及び風力風骨上及び風力風骨下の内端を固着し、結合軸を挟んで何本かのバネ６６、６８により第１蝶番板内も含めて内側に設けたバネ受け５６にバネの１端を受け止める。そして第１蝶番板外も含めて外側に設けたバネ受け６７にバネの他端を受け止める。必要により第２風集風車の外端又は第２風負風車の風骨及び風力風骨上及び風力風骨下に第２蝶番板内を固着し第２蝶番板内に結合軸を介して第２蝶番板外に第３風集風車の内端又は第３風負風車の風骨及び風力風骨上及び風力風骨下の内端を固着し、好みにより後何回か前記のような事をくり返しても良い。バネも結合軸を介した結合部毎に何本か結合部を何巻かして第何蝶番板内も含めて内方向に反発力を設けたバネの１端をバネ受けを設けて受け、隣りに第何蝶番板外も含めた外側に反発力を設けたバネの他端をバネ受けを設けて受け止める。又隣り合った各各の風集風車又は各各の風負風車又は各各の風集風車と風負風車にシリンダー６３Ａの中にピストンを入れシリンダーにネジ棒６３Ｅを固着しピストンにもネジ付棒６３Ｆを固着し両端を回転角だけ自由にされた角度合せ軸６３Ｂ及び６３Ｃに通してナットで締付けシリンダーに加圧調整器６３Ｇを設け又第何１方の蝶番板に少なくとも回転シリンダー枠７７かもしくわ回転シリンダー軸７７Ｃのどちらか１方と連結し第何他方の蝶番板に残りの回転シリンダー枠７７又は回転シリンダー軸７７Ｃと連結させる。回転シリンダー枠７７には加圧調整器７７Ｆを設けて回転シリンダー枠内の気体圧を調整する。【０００７】発電機５８に直結する羽根支持５に第１風集風車の内端又は第１風負風車の風骨及び風力風骨上及び風力風骨下の内端を固着し第１風集風車の外端又は第１風負風車の風骨及び風力風骨上及び風力風骨下の外端に第１蝶番板内１２９を固着し第１蝶番板内とバネ持上板１２１と第１蝶番板外１３１は結合軸１３０を介して各各回転角自由に結合し、第１蝶番板外１３１と第２風集風車の内端又は第２風負風車の風骨及び風力風骨上及び風力風骨下の内端を固着し第１風集風車と第２風集風車又は第１風負風車と第２風負風車又は第１風集風車と第２風負風車に各各に回転角だけを自由にした穴を設けた角度合せ軸１２６、１３４、１１３、１０２を設けそして風集風車又は風負風車の溝形の底から風集の風上側よりさらに突き出したバネ持ち上げ板１２１の両頂部にも回転角だけを自由にして穴を設けた角度合せ軸１２２、１１６を設けてバネ１２４、１１７の両端にネジ１２５、１２３１１５、１１４を設けて角度合せ軸の穴に通して各各両方からナットで締める又バネの替りにシリンダー内にピストンを設けて両端に棒付ネジ１０１Ａ、１０１Ｂを設けてネジの所を回転角だけを自由にした角度合せ軸１０２Ａ、１０２の穴に通して各各両端からナットで締める。
上記のような事を後何回かくり返す事もある。【０００８】固定バネ上げ板内１６０を設けた第何風集風車内の外端又は固定バネ上げ板内１６０を設けた第何風負風車内の風骨及び風力風骨上及び風力風骨下の外端と第何蝶番板内と固着し第何蝶番板内と結合軸を介して回転角自由にして第何蝶番板外と結合し、第何蝶番板外と固定バネ上げ板外１６７を設けた第何風集風車外の内端又は固定バネ上げ板外１６７を設けた第何風負風車外の風骨及び風力風骨上及び風力風骨下の内端を固着し、固定バネ上げ板内１６０に回転角だけ自由にした角度合せ軸１６１、１６２、の穴と固定バネ上げ板外１６７に回転角だけ自由にした角度合せ軸１６５１６６に設けた穴にバネ１６３、１６４、１７３に棒付ネジを通すか又はシリンダー１８８内にピストン１８８Ｅに各各棒付ネジを固着してネジを穴に通して各各両面又は片面からナット、１６３Ｃ、１６４Ｃ、１６３Ｄ、１６４Ｄ１６８、１８８Ｃ、１７７、１８８Ｄで締め付けるシリンダーには加圧調整器１８８Ｆを設ける。
上記のような事を後何回かくり返す事もある。【０００９】発電機２２４に直結する羽根支持２００に第風集風車２０１の内端又は第１風負風車２０１の風骨及び風力風骨上及び風力風骨下の内端を固着し第１風集風車の外端又は第１風負風車の風骨及び風力風骨上及び風力風骨下の外端に第１蝶番板内２０３を固着させ第１蝶番板内と第１蝶番板外２０５を結合軸２０４を介して回転角自由に結合し、第１蝶番板内か第１蝶番板外か少なくともどちらか１方に角弧うで２０２を固着して角弧うでの先端を角弧ギア２２１を固着して角弧ギアにバネ２１８、２１９の１端を固着した戻しギア２２０を噛み合わせ、バネ２１８、２１９の他端をバネ調整ギア２２２に固着してバネ調整ギア、ウォームギア２２３を噛み合わせる。上記のような事を後何回かくり返えしても良い。【００１０】発電機３００に直結する羽根支持３３６に第１風集風車３０２の内端又は第１風負風車３０２の風骨及び風力風骨上及び風力風骨下の内端を固着し第１風集風車の外端又は第１風負風車の風骨及び風力風骨上及び風力風骨下の外端と第１蝶番板内３０４を固着し第１蝶番板内と結合軸３０６を介して回転角自由に第１蝶番板外３０５と結合して第１蝶番板外と第２風集風車３０８の内端又は第２風負風車３０８の風骨及び風力風骨上及び風力風骨下の内端と固着し、第１風集風車の風下側又は第１風負風車の風下側に固定バネ上げ板内３０１を設けそして第２風集風車の風下側又は第２風負風車の風下側に固定バネ上げ板外３０７を設け固定バネ上げ板内の上部に回転角だけ自由にされた穴を設けた角度合せ軸３３５を設け、固定バネ上げ板外の上部に回転角だけ自由にされた穴を設けた角度合せ軸３２９の間にスライドケース内外、３３３、３３１、の両端に棒付ネジ３３２Ｂ、３３２Ａを固着して上記穴に各各通して両側からナット３０３Ａ、３３４、３３０、３２５て締め、スライドケース内にバネ３３２を設け又はバネの替りにシリンダー３３２内にピストン３２１を設けてシリンダーに加圧調整器３２３を設ける事もある。上記のような事を後何回かくり返す事もある。【００１１】羽根支持３３６に第１風集風車４００の内端又は第１風負風車４００の風骨及び風力風骨上及び風力風骨下の内端を固着し第１風集風車の外端又は第１風負風車の風骨及び風力風骨上及び風力風骨下の外端と第１蝶番板内４０３に固着し第１蝶番板内に結合軸４１２を介してバネ支持板内４０４又はバネ支持板外４０９及び第１蝶番板外４１５を各各回転角自由に結合し第１蝶番板外４１５に第２風集風車４４０の内端又は第２風負風車４４０の風骨及び風力風骨上及び風力風骨下の内部を固着し、バネ支持板内４０４に溝４４５を設けて第１風集風車４００又は第１風負風車４００と第２風集風車４４０又は第２風負風車４４０に支持された結合ピン４５３、４４７に回転角自由に結合された可動開き足１方４５２及び可動開き足他方４４８を１点の結合ピン４４５Ａに回転角自由に結合して結合ピン４４５Ａの奥側を溝４４５にひっかけてスライド可とする、バネ支持板４０４の上部にバネ支持うで４４３を設けて穴を設けて結合ピン４４５Ａに結合したバネ付ボルトのボルト４４９をバネ支持うでの穴に通してナット４５０で留める。上記のような事を後可回かくり返す事もある。【００１２】又は第１風集風車４００又は第１風負風車４００及び第２風集風車４４０又は第２風負風車４４０に支持された結合ピン４０１、４１４を設けて結合ピン４０１、４１４で回転角自由に支持された可動閉じ足１方４０２及び可動閉じ足他方４１３を支持して各各の他端を結合ピン４１２で回転角自由に結合支持し結合軸４１２に回転角自由に支持されたバネ支持板外４０９に設けた溝４１０に結合ピン４１１の奥側をひっかけてスライド可とし、バネ支持板外４０９の上部に設けたバネ支持うで４０７に穴を設けて結合ピン４１１とバネ付ボルト４０５のボルト４０６をバネ支持うでの穴に通してナット４０８Ａ、４０８で留める。このような事を後何回かくり返す事もある。【００１３】発電機５００に直結する羽根支持５３４に第１風集風車５３３の内端又は第１風負風車５３３のの風骨及び風力風骨上及び風力風骨下の内端を固着し第１風集風車の外端又は第１風負風車の風骨及び風力風骨上及び風力風骨下の外端を第１結合板内５０１に結合し第１結合板内５０１に第１行き違い結合うで内５０２を固着して先を第１結合板外５２６近くまで伸ばしそして同巾の第１行き違い結合うで外５０５の先を第１結合板内５０１の近くまで伸ばして他端を第１結合板外５２６に固着しそして重ね合わせて中程に穴を通して結合軸５０６で各各回転角自由に結合する。第１結合板外に第２風集風車５１１の内端又は第２風負風車５１１の風骨及び風力風骨上及び風力風骨下の内端を固着させ結合軸５０６のまわりを何巻かしたバネ５０７、５３０、５０４、５３１で第１行き違い結合うで内５０２の根元と第１行き違い結合うで外５０５の先端の両側から結合うで押し当て板５０３、５３２を当ててバネで押す、そして結合軸５０６を挟んで反対側の第１行き違い結合うで外５０５の根元と第１行き違い結合うで内５０２の先端部の両側から結合うで押し当て板５２７、５１０、５３２、５０３を当ててその外側からバネ付ナット板５２９に通したボルト５２８を通してボルトの先端を結合うで押し当て板５２７を押す、又は結合うで押し当て板５１０にバネ調整板５０９に通したボルト５０８の先を当てバネ調整板５０９をバネ５０７で押す。上記のような事を後何回かくり返す事もある。【００１４】発電機５００に直結する羽根支持５３４に第１風集風車６００の内端又は第１風負風車５００の風骨及び風力風骨上及び風力風骨下の内端を固着し第１風集風車の外端又は第１風負風車の風骨及び風力風骨上及び風力風骨下の外端を第１結合板内６０２に固着し第１結合板内に放射状の第１十字行き違い結合うで内６１４の１本の内端を固着しそして第１十字行き違い結合うで内６１４と同形で同じ巾の放射状の第１十字行き違い結合うで外６０１を重ね合せて中芯に穴を通して穴に結合軸６５９を回転角自由に各各を結合させ第１十字行き違い結合うで外の１本の外端を第１結合板外６４５に結合し第１結合板外に第２風集風車６６０の内端又は第２風負風車６６０の風骨及び風力風骨上及び風力風骨下の内端を固着し第１十字行き違い結合うで内と第１十字行き違い結合うで外を重ね合せて各各木口面に結合うで押し当て板６５７、６０３、６０８、６１０、６１６、６４３、６５１、６５３を当ててバネ６５４、６５０で押すか又はバネ付ナット板６０７、６１１にボルト６１２、６０６を通して押し当てるか又はバネ６４８、６４８Ａ、６５８、６０５で押されたバネ調整板６０３Ａ、６５６、６５１、６４４に通したバネ調整ボルト６５５、６０４、６１３、６４７、６０４Ａ、６５５Ａで押す。又バネの替りに回転シリンダー枠６６９に固着して外受圧板６６５を設け、外受圧板に６６５の先端に接っして回転枠中枠６６４を設け、回転枠中枠６６４に固着して内受圧板６７０を設け、回転枠中枠に回転はさみ部内６３９、６１９、６２５、６３４、と回転シリンダー枠６６９に固着した回転はさみ部外６１８、６２３、６３３、６３８で第何十字行き違い結合うで内と同形で同巾の第何十字行き違い結合うで外を重ねて結合うで押し当て板を両面から当てて押すか又は第何行き違い結合うで内と同巾の第何行き違い結合うで外を重ね合せて両面から結合うで押し当て板を当てて押す。上記のような事を後何回かくり返す事もある。【００１５】発電機７００に直結する羽根支持８００に第１風集風車７０３の内端又は第１風負風車７０３の風骨及び風力風骨上及び風力風骨下の内端を固着し、第１風集風車７０３の外端又は第１風負風車７０３の風骨及び風力風骨上及風力風骨下の外端を第１結合板内７０２に固着し、第１結合板内７０２に第１結合うで内７６８を固着し、第１結合うで内７６８の先端に結合軸７６７を設けて第１結合うで外７４９を回転角自由に結合し他端を第１結合板外７４７に結合し第１結合板外７４７に第２風集風車７５０の内端又は第２風負風車７５０の風骨及び風力風骨上及び風力風骨下の内端を固着し第１結合板内７０２と第１結合板外７４７の間にバネ７５８を圧縮してスライド可の嵌合させた各各断面略弧状のバネケース１方７６０とバネケース他方７６０Ａを向かい合せて断面円状の中に入れバネケース１方７６０Ａのスライド方向と直角のバネケース１方の木口壁にバネ調整ボルト７５５Ａ、７６３Ａを通しそしてバネケース他方７６０のスライド方向と直角のバネケース他方の木口壁にバネ調整ボルト７５５、７６２を通して他方のバネ調整ボルト郡７５５Ａ、７５５にケース内プレート７５６を当てて圧縮されたバネ７５８の他方を当てそして１方のバネ調整ボルト郡７６２Ａ、７６２にケース内プレート７６１を当てて圧縮されたバネ７５８の１方を当てる。バネケース他方７６０Ａのどちらか１方の木口壁に回転角自由にボルト７６３を結合させそしてボルトの他方を第１結合板内７０２の両端に設けた回転角自由の角度合せ軸７６５、７０４に通してナット７６４、７６６、７０５、７０５Ａで留める。そしてバネケース他方７６０Ａの木口壁に設けたボルトの反対方向のバネケース１方７６０木口壁に回転角自由にボルト７５９を結合しボルト７５９の他端を第１結合板外７４７の両端に回転角自由に結合した穴を設けた角度合せ軸７５３、７１６の穴にボルト７５９、７２１を通して両側からナット７５１、７５４、７１５、７１７で留める。又バネケース１方７７０の中程に凸部を設けたバネケース１方の中間木口壁７１０とバネケース他方７６９の中程に凸部を設けたバネケース他方の中間木口壁７７１を設けて両側からケース内プレート７１１、７０９を当ててバネで押す又バネの替りにシリンダー７２６内にピストン７２５を設けて加圧調整器７２３Ａを設けて気体の反発を利用する事もある。上記のような事を後何回かくり返す事もある。【００１６】発電機７００に直結する羽根支持８００に第１風集風車８３８の内端又は第１風負風車８３８の風骨及び風力風骨上及び風力風骨下の内端を固着し第１風集風車の外端又は第１風負風車の風骨及び風力風骨上及び風力風骨下の外端を第１結合板内８３７に固着し第１結合板内に第１結合うで内８３６を固着し第１結合うで内の先端と第１結合うで外８３２の後端部を回転角自由にして結合軸８３５で結合させ第１結合うで外の他端と第１結合板外８３１を固着し第１結合板外に第２風集風車の内端又は第２風負風車の風骨及び風力風骨上及び風力風骨下の内端を固着し第１結合板内８３７と第１結合板内８３１に支持され穴を設けた角度合せ軸８０３、８１１にスライドケース雌雄８０８、８３９内に圧縮されたバネ８０７を設けスライドケース雄８３９に設けたネジ８０１を角度合せ軸の穴に通しそしてスライドケース雌８０８に設けたネジ８１４を角度合せ軸８１１の穴に通して各各両側からナット８０５、８０２、８１０８１２で締める。又バネの替りにシリンダー８１９内にピストン８１８を設けてシリンダーの１部に加圧調整器８２０を設けてシリンダー内に加圧された気体を入れる。上記のような事を後何回かくり返えして設ける事もある。【００１７】発電機９０２に直結する羽根支持９３８に第１風集風車９３７の内端又は第１風負風車９３７の風骨及び風力風骨上及び風力風骨下の内端を固着し第１風集風車の外端又は第１風負風車の風骨及び風力風骨上及び風力風骨下の外端と第１結合板内９３６に固着し第１結合板内の風下側に第１結合うで内９３４を固着しその先端に結合軸９３３を設けてその結合軸９３３に回転角自由に第１結合うで外９３２を結合し第１結合うで外の外端を第１結合板外９３０に固着し第１結合板外に第２風集風車９２９の内端又は第２風負風車９２９の風骨及び風力風骨上及び風力風骨下の内端を固着し風下端の第１結合板内及び第１結合板外に回転角自由に穴を設けた角度合せ軸９１３、９１０を支持し各各の穴にバネ９０６にネジ９０８、９０７を設けたネジを通して両側からナット９１１、９０９、９０５、９０３で留める。双方の結合うでと双方の角度合せ軸の間に縮み留９３１、９３５を設ける。又バネの替りにシリンダー９０６内にピストン９３９を設けてシリンダーの１部に加圧調整器９４０を設けてシリンダー内の気体を適圧にする。上記のような事を後何回かくり返えす事もある。【００１８】前記のようなバネ又はシリンダーの気圧により風車風車又は風負風車が強風に負けて風下側に曲がった又元の位置に戻ったりする各各の仕組みを任意に組み合せる事もある。又は任意に配置させたりする事もある。
【発明の効果】
【００１９】強風時突風時強風が風集風車又は風負風車に当ると風下側に風集風車又は風負風車が曲がって風を素通りさせるため風集風車又は風負風車に風圧がかからないのでこわされない。そして曲がり部を複数個所にする事により１個所の曲がり部に固着した風集風車又は風負風車を元の位置に戻すのに曲げ角が小さいのでバネ又はシリンダー内にピストンに大きな負担がかからない。そして強風時敏速に曲げ角が少ないので風集風車又は風負風車が風下側に曲がる事が出来るので即風圧から逃げられるので風圧がかからないから風集風車又は風負風車及び支持がこわされない。
【発明を実施するための最良の形態】
【００２０】発電機５８に直結する羽根支持５に第１風集風車５７の内端を固着し第１風集風車５９の外端を第１蝶番板内６０を固着し第１蝶番板内６０と第１蝶番板外６２は結合軸７１で回転角自由にして結合し第１蝶番板外６２に第２風集風車６５の内端を固着て第２風集風車６５の外端に第２蝶番板内７２を固着し第２蝶番板内７２に第２蝶番板外７３を結合軸７０を回転角自由に結合し第２蝶番板外７３に第３風集風車を固着し、各各の結合軸７１、７０、に出来れば細いバネを何組も反発手段に設けてバネの先端にネジ穴板にしてネジ穴にネジをネジ込んで各各ネジによりバネの反発力を調整して各各のネジをネジ受６７で受け止める。
【実施例】
【００２１】風集は風集風車の先端になる程風集の風上側の方を広くするか又は風力板と風方向に対する角度をしだいに大きくする。回転シリンダー枠７７か又は回転シリンダー枠内の回転シリンダー軸７７Ｃの少なくともどちらか１方に蝶番板の１方を固着し、回転シリンダー枠７７か又は回転シリンダー枠内の回転シリンダー軸７７Ｃのどちらか他方を蝶番板の他方と固着する。
【産業上の利用分野】
【００２２】風力発電に利用出来る。
【図面の簡単な説明】
【００２３】
【図１】風逃風力増強風車の全体図。
【図２】Ａ−Ａ又はＣ−Ｃ又はＴ−Ｔ断面図。
【図３】Ｂ−Ｂ断面図。
【図４】Ａ−Ａ又はＣ−Ｃ又はＴ−Ｔ断面図。
【図５】Ｆ面又はＤ面又はＥ面正面図。
【図６】Ｇ−Ｇ断面図。
【図７】Ｈ−Ｈ断面図（１）
【図８】可動バネ受詳細図。
【図９】Ｉ−Ｉ断面図。
【図１０】バネ先ギア及びバネ元ギアの詳細図。
【図１１】Ｊ−Ｊ断面図。
【図１２】回転シリンダー詳細図。
【図１３】Ｈ−Ｈ断面図（２）。
【図１４】Ｋ−Ｋ断面図。
【図１５】Ｌ−Ｌ断面図。
【図１６】Ｈ−Ｈ断面図（３）。
【図１７】Ｈ−Ｈ断面図（４）。
【図１８】Ｍ−Ｍ断面図。
【図１９】Ｎ−Ｎ断面図。
【図２０】Ｏ−Ｏ断面図。
【図２１】Ｐ−Ｐ断面図。
【図２２】Ｑ−Ｑ断面図。
【図２３】Ｒ−Ｒ断面図。
【図２４】Ｓ−Ｓ断面図。
【図２５】Ｈ−Ｈ断面図（５）。
【図２６】Ｔ−Ｔ断面図。
【図２７】Ｕ−Ｕ断面図。
【図２８】Ｈ−Ｈ断面図（６）。
【図２９】風力板断面図。
【図３０】Ｈ−Ｈ断面組み合せ図（７）。
【図３１】Ｈ−Ｈ断面組み合せ図（８）。
【図３２】Ｈ−Ｈ断面組み合せ図（９）。
【図３３】Ｈ−Ｈ断面組み合せ図（１０）。
【図３４】Ｈ−Ｈ断面組み合せ図（１１）。
【図３５】Ｈ−Ｈ断面組み合せ図（１２）。
【図３６】Ｈ−Ｈ断面組み合せ図（１３）。
【図３７】Ｈ−Ｈ断面組み合せ図（１４）。
【図３８】Ｈ−Ｈ断面組み合せ図（１５）。
【符号の説明】
【００２４】  風集                        ６、９
風負風集                    ４６、２９、４１、２７
羽根支持                    ５、２００、３３６、５３４、７６８、９３８、８００、９６３、９７２、９８２、９９２、１００２、１０１２、１０２２、１０３２、１０４２、
バネ持上板                  １２１、１０９
風力風骨上                  ３７
風力風骨下                  ３２
風力板                      １１、１０００
風負風力板                  ３４、１０００
風筋違い                    ８、７、１３、１２、１０、２１、２２、４０、３１、４２、２８、３３、２３、３３Ａ、２８Ａ、４２Ａ、４２Ｂ２８Ｂ、３３Ｂ
つなぎ板                    １４、３９
風骨                        ２０、２６、３８、３０、３７、３２、
風集支持                    ４３、２４
バネ                        ４４、２５、３６、６６、６６Ａ、６８、６８Ａ、８３、１２４、１２４Ａ、１１７、１１７Ａ、８２Ａ、１７３、１６４、１６３、１８８、１７３、２１１、２１９、２１８、１６４Ｅ、１６３Ｅ、３２２、３３２、４５１、４０５、４２２、４３１、５２２、５１８、５１６、５２４、５３０５０７、５３１、５０４、６５８、６０５、６０５Ａ、６４８、６３９、６１８、６３８、６３４、６１９、６２３、６０５Ｂ、６５８Ａ、６５８Ｂ、６０６Ｃ、６０６Ａ、６４８Ａ、７２４、７４１、７５８、７１２、７０８、８０７、８１８、９１６、９０６、５０７Ｂ、５０７Ｃ、６０５Ｂ
風進曲げ                    ４７、４９、４８、５０
通し部                      ５１
風力支持                    ３５
バネ                        ６６、６６Ａ、６８、６８Ａ
可動バネ受                  ５６、５６Ａ、６７、７５、１４５
レール                      ６４Ａ、６４Ｂ
ウォームギア                ７６Ａ、７６Ｂ、１４１、１４４、２２３、２１５
ひっかかり                  ７９Ｄ、７９Ｃ、１４５
ひっかかり支部              ７９Ａ、７９Ｂ
ハンドル                    ７８Ｄ、１４３
ギア                        ７８Ａ、７８Ｃ、７８Ｅ、７８Ｆ、７８Ｇ、７８Ｈ、１４２
バネ受                      ８１、８０
バネ先板                    ８１Ｂ
バネ付ギア１方              ８２
バネ付ギア他方              ８５
中介ギア支持                ９２
中介ギア                    ９１
ハンドル                    ９０
中介ギア止メ                ８６
中介ギア止メ支持            ８８
バネ先ギア                  ８７
バネ元ギア                  ８４
外受圧板                    ７７Ａ、６６５
内受圧板                    ７７Ｂ、６７０
回転シリンダー枠            ７７、６６９
回転シリンダー軸            ７７Ｃ、６６８
吸入口                      ７７Ｅ
加圧調整器                  ７２３Ａ、８７０、９４０
加圧調整器                  ７７Ｆ、６６６、６３Ｇ、１０５、１８８Ｆ、４３２Ａ、４７０、３２３
第１風集風車                １Ａ、１Ｂ、１Ｃ、５７、１２８、１８６、３０２、４００、５３３、６００、７０１、７０３、８３８、９３７
第１風負風車                １Ａ、１Ｂ、１Ｃ、５７、１２８、１８６、３０２、４００  ５３３、６００、７０１、７０３、８３８、９３７
第２風集風車                ２Ａ、２Ｂ、２Ｃ、６５、１１８、１７２、２１７、３０８、４４０  ５１１、６６０、７５０、８３０、９２９、
曲げ後の第２                １１８Ａ、６５Ａ、１７２Ａ、２１７Ａ、３０８Ａ
風集風車                    ４４０Ａ、５１１Ａ、６００Ａ
第２風負風車                ２Ａ、２Ｂ、２Ｃ、６５、１１８、１７２、２１７、３０８、４４０、５１１、６６０、７５０、８３０、９２９
曲げ後の第２
風負風車                    １１８Ａ、６５Ａ、１７２Ａ、２１７Ａ、３０８Ａ  ４４０Ａ、５１１Ａ、６００Ａ
第３風集風車                ３Ａ、３Ｂ、３Ｃ、６９、１００、１７８、２０８、３１３、４２９  ５２１、６２６、７３２、８２４、９２３
第３風負風車                ３Ａ、３Ｂ、３Ｃ、６９、１００、１７８、２０８、３１３、４２９  ５２１、６２６、７３２、８２４、９２３
曲げ後の第３
風集風車又は
第３風負風車                ６９Ａ、６９Ｂ、１００Ａ、２０８Ａ、１７８Ａ  ６２６Ａ、５２１Ａ、８２４Ａ、７３２Ａ、９２３Ａ
支柱                        ４、６３１、９００、８４０
結合軸                      １３５、１３０、７１、７０、１８７、１８４、２０４、２０６、３１２、３０６  ４１２、４２６、５１７、５０６、６５９、６２４、７１８、７６７、８３５、８２７  ９２６、９３３、６６７、
バネ圧縮調
整ボルト                    ３３２Ａ、３３２Ｂ、３２４、３１９
回転はさみ部外              ６１８、６２３、６３３、６３８
回転はさみ部内              ６３９、６１９、６２５、６３４
第１結合うで内              ８３６、７６８、９３４
第１結合うで外              ８３２、７４９、９３２
第２結合うで内              ７４８、８２８、９２７
第２結合うで外              ８２６、７３３、９２５
結合うで押し当て板          ６４０、６１７、６２０、６２２、６２７、６３０、６３５、６３７
可動開き足１方              ４５２、４４１
可動開き足他方              ４４８、４３０
可動閉じ足１方              ４０２、４１３
可動閉じ足他方              ４１３、４２３
縮み止め                    ９２１、９２２、９３１、９３５
第１行き違い結合うで内      ５０２、５０２Ａ、５０２Ｂ、５０２Ｃ
第１行き違い結合うで外      ５０５、５０５Ａ、５０５Ｂ、５０５Ｃ、５０５Ｄ、５０５Ｅ、５０５Ｆ、５０５Ｇ
第２行き違い結合うで内      ５１３
第２行き違い結合うで外      ５１４
第１十字行き違い結合うで内  ６１４、６１４Ａ
第１十字行き違い結合うで外  ６０１、６０１Ａ、６０１Ｂ、６０１Ｃ
第２十字行き違い結合うで内  ６３２、６３２Ａ、６３２Ｂ、６３２Ｃ
第２十字行き違い結合うで外  ６２９、６２９Ａ、６２９Ｂ、６２９Ｃ
結合うで押し当て板          ５１９、５２３、５１５、５２５、５１０、５２７  ５０３、５３２、６５７、６０３、６３７、６０８  ６１０、６１６、６４３、６５１、６５３、６３５  ６４０、６１７、６２０、６２２、６２７、６３０
第１十字結合うで袖          ６５２、６０９
第２十字結合うで袖          ６３６、６２１
バネ付ナット板              ６１１、６０７、６５４、６５０  ５２９、５２９Ａ、５２９Ｃ、５２９Ｅ
ナット穴                    ６１２、６５０Ａ
バネ調整板                  ５０９、６５６、６０３Ａ
調整ボルト                  ７２７、７３７、７４３、７２７Ａ、７２１  ７０１、７６３、７５９、８０１、８１４、８１７、８２３、９２０、９１５、９０８  ９０７
固定バネ上げ板内            １６０、１７０、３０９、３０１
ハンドル                    ９０Ｂ
ハンドル支持                ９０Ａ
ネジ頭                      ８１Ｃ
バネ先ネジ穴板              ８１Ｂ
固定バネ上げ板外            １７６、１６７、１６７Ａ、１６０Ａ、３１４、３０７
可動バネ持上げ板            １２１、１０９
角度合せ軸                  １２６、１２２、１１６、１１０、１０５、１１３、１３４、１０２、１７４、１７９、１８９、１８０、１６５、１６６  １６１、１６２、３１６、３２６、３２９、３３５、７２９  ７３５、７２０、７４５、７１６、７０４、７５３、７６５、８０３、８１１、８１５、８２２、９１８、９１３、９１０、９０４、６３Ｂ、６３Ｃ
角度合せ軸支持              １３６、１３７、１３８、１３９、１６０、１６７、  １６７Ａ、１６０Ａ
ナット                      １２７、１２０、１１９、１１２、１１１、１０８、１０６、１０３  １１１Ａ、１７７、１８８Ｄ、１６８、１８８Ｃ、１６３Ｃ  １６３Ｄ、１６４Ｃ、１６４Ｄ、１６４Ｇ  １６４Ｊ、１６４Ｂ、１６３Ｇ、１６３Ｊ  １６３Ｋ、１６３、１６３Ｂ、３１５、３１７  ３２５、３２７、３２８、３３０、３０３  ３０３Ａ、４０８、４０８Ａ、４５０、４３８、４１９、４２４、５０８Ｂ  ５０８Ｃ、５２９Ａ、５２９Ｃ、５２９Ｅ  ７３０、７２８、７２２、７１９、７３４、７３６、７４４、７４６、７５１、７５４、７６４、７６６、７１７、７１５、７０５、７０４、８０１、８０２、８１０、８１２、８２９、８１６、８２１、８２３、９１８、９１７、９１１、９０９、９０５、９０３
バネ調整ギア                ２２２、２１４
戻しギア                    ２２０、２１３
角弧ギア                    ２２１、２１６
角弧ギアうで                ２０２、２０７
シリンダー                  １０４、６３Ａ、１８８、３２２、４２２、４３２  ８１９、７２６、７２３Ａ、９０６
ピストン                    ６３Ｄ、１０１、１８８Ｅ、４２１、４３１  ３２１、７２５、８１８、９３９
バネ受け                    ８１、８０、６７、５６、１４６、８１Ａ
移動後のバネ受              ５６Ａ、７５
留めビス                    ８１Ｄ、８０Ａ
第１蝶番板内                ６０、１２９、１８５、２０３、３０４、４０３
第１蝶番板外                ６２、１３１、１８３、２０５、３０５、４１５
第２蝶番板内                ７２、１３２、１８２、２０９、３１０、４４６
第２蝶番板外                ７３、１３３、１８１、２１０、３１１、４３３
ひっかけレール外            ６４
ひっかけレール内            ６３
ウォームギア                ７６、７７、１４１、１４４、２２３、２１５
ギア                        ７８Ａ、７８Ｂ、７８Ｃ、７８Ｄ、７８Ｅ、７８Ｆ、７８Ｇ  ７８Ｈ、１４０、１４３、１４２
ひっかかり                  １４５、７９Ｃ、７９Ｄ、７６９Ａ、７６９Ｂ
ひっかけ支持                ７９Ａ、７９Ｂ
バネケース雌                ３２１、３３１、８０８、８２０、
バネケース雄                ３２３、３３３、８３９、８１９、
バネケース１方              ７２３、７４０、７７０、７６０
バネケース他方              ７６０Ａ、７２３Ａ、７６９、７４０Ａ
バネケース                  ７２５、７３８、７７２、７５７、７２５  ９３９
ケース内プレート            ７２６、７３８、７４２、７２６Ａ、７１３、７１１  ７０９、７０７、７６１、７５６、８０６、８０９
2010019244.tif 000003
2010019244.tif 000004
溝                          ４４５、４１０、４２１
バネ支持板内                ４０４、４４４
バネ支持板外                ４０９
ローラ１方                  ４３９
ローラ他方                  ４３４
結合ピン                    ４１１、４１８、４５３、４４７、４０１、４１４、４１６、４２７、４２８、４４２、４４５Ａ
バネ支持うで                ４４３、４０７、４２５、４３７
第１結合板内                ５０１、６０２、７０２、８３７
第１結合板外                ６４５、５２６、７４７、８３１
第２結合板内                ５１２、６４１、８３４、７５２
第２結合板外                ５２０、６２８、８２５、７３１
回転枠中枠                  ６６４
回転枠内枠                  ６６８
棒付ネジ                    １０１Ａ、１０１Ｂ、３３２Ｂ、３３２Ａ
【図１】
2010019244.tif 000005
【図２】
2010019244.tif 000006
【図３】
2010019244.tif 000007
【図４】
2010019244.tif 000008
【図５】
2010019244.tif 000009
【図６】
2010019244.tif 000010
【図７】
2010019244.tif 000011
【図８】
2010019244.tif 000012
【図９】
2010019244.tif 000013
【図１０】
2010019244.tif 000014
【図１１】
2010019244.tif 000015
【図１２】
2010019244.tif 000016
【図１３】
2010019244.tif 000017
【図１４】
2010019244.tif 000018
【図１５】
2010019244.tif 000019
【図１６】
2010019244.tif 000020
【図１７】
2010019244.tif 000021
【図１８】
2010019244.tif 000022
【図１９】
2010019244.tif 000023
【図２０】
2010019244.tif 000024
【図２１】
2010019244.tif 000025
【図２２】
2010019244.tif 000026
【図２３】
2010019244.tif 000027
【図２４】
2010019244.tif 000028
【図２５】
2010019244.tif 000029
【図２６】
2010019244.tif 000030
【図２７】
2010019244.tif 000031
【図２８】
2010019244.tif 000032
【図２９】
2010019244.tif 000033
【図３０】
2010019244.tif 000034
【図３１】
2010019244.tif 000035
【図３２】
2010019244.tif 000036
【図３３】
2010019244.tif 000037
【図３４】
2010019244.tif 000038
【図３５】
2010019244.tif 000039
【図３６】
2010019244.tif 000040
【図３７】
2010019244.tif 000041
【図３８】
2010019244.tif 000042